(57)【要約】      （修正有）【課題】副走査ビームピッチの変動を小さく抑えることができるマルチビーム光源装置およびこれを備える光走査装置を提供する。【解決手段】光ビームを出射する複数の光源２１、２２を光軸回りに回動可能にかつ一体的に保持する光源装置保持部材３６と、複数の光ビームを光軸回りに回動することによって、像面上での副走査方向の間隔を調整可能とする回動調整手段４０とを有し、回動調整手段４０は、ステッピングモータ４７と、このステッピングモータの出力軸４７ａに取り付けられ、かつステッピングモータの回転駆動を直線運動に変換して複数の光源を回動させる摺動部材４５と、この摺動部材４５を介して出力軸４７ａに当接させかつ一方向側に常時付勢する付勢部材３７とから構成されるマルチビーム光源装置において、出力軸４７ａと摺動部材４５との間に断熱部材４５ａ、５０を設ける。【選択図】図１
2007241118.tif 000002
【特許請求の範囲】
【請求項１】
光ビームを出射する複数の光源を光軸回りに回動可能にかつ一体的に保持する光源装置保持部材と、前記複数の光ビームを光軸回りに回動することによって、像面上での副走査方向の間隔を調整可能とする回動調整手段と、を有したマルチビーム光源装置であって、
前記回動調整手段は、ステッピングモータと、このステッピングモータの出力軸に取り付けられ、かつ前記ステッピングモータの回転駆動を直線運動に変換して前記複数の光源を回動させる摺動部材と、この摺動部材を介して前記ステッピングモータの出力軸に前記回動調整手段を当接させかつ一方向側に常時付勢する付勢部材と、を備えたものにおいて、
前記ステッピングモータの前記出力軸と前記摺動部材との間に断熱部材を設けたことを特徴とするマルチビーム光源装置。
【請求項２】
前記ステッピングモータと前記光源装置保持部材との間に断熱部材を設けたことを特徴とする請求項１記載のマルチビーム光源装置。
【請求項３】
前記摺動部材と前記光源装置保持部材との間に断熱部材を設けたことを特徴とする請求項１又は２に記載のマルチビーム光源装置。
【請求項４】
前記光源装置保持部材が断熱部材で形成されていることを特徴とする請求項１、２又は３に記載のマルチビーム光源装置。
【請求項５】
前記断熱部材は、前記ステッピングモータの前記出力軸に略一体で取り付けられていることを特徴とする請求項１乃至４の何れか一項に記載のマルチビーム光源装置。
【請求項６】
前記断熱部材は、前記摺動部材と略一体で取り付けられていることを特徴とする請求項１乃至５の何れか一項に記載のマルチビーム光源装置。
【請求項７】
前記摺動部材は樹脂であることを特徴とする請求項１乃至６の何れか一項に記載のマルチビーム光源装置。
【請求項８】
前記ステッピングモータは、その回動位置を切り換える度に通電が遮断されることを特徴とする請求項１乃至７の何れか一項に記載のマルチビーム光源装置。
【請求項９】
請求項１乃至８の何れか一項に記載のマルチビーム光源装置と、複数の偏向面を有し回転する光偏向器と、fθ系光学素子と、これら各構成要素を収容する光学ハウジングと、を備えた光走査装置において、前記光源装置保持部材が前記光学ハウジングと一体で形成されていることを特徴とする光走査装置。
【発明の詳細な説明】
【技術分野】
【０００１】
本発明は、複写機、プリンタ、ファクシミリ、プロッタ等の画像形成装置に使用するマルチビーム光源装置及びこれを備えた光走査装置に関するものである。
【背景技術】
【０００２】
画像形成装置の光書き込み系に用いられる光走査装置において、記録速度を向上させる手段としては、偏向手段であるポリゴンミラーの回転速度を上げる方法がある。しかし、この方法ではポリゴンミラーを回転させるモータの耐久性や騒音、振動、及び光の変調スピード等が問題となり限界がある。
そこで一度に複数の光ビームを走査して複数ラインを同時に記録する光走査装置（マルチビーム走査装置）の提案がなされている。この光走査装置（マルチビーム走査装置）の光源手段として用いられ、複数の光ビームを出射するマルチビーム光源装置の方式として、例えば、１パッケージ内に複数の発光点（発光チャンネル）を持つマルチビーム半導体光（例えば、半導体光レイ）を用いる方式がある。
【０００３】
しかしながら、半導体光レイは製造プロセス上チャンネル数を増加することが困難であり、また、熱的／電気的なクロストークの影響を除去することが難しく、短波長化が困難であるといった理由により、現在では高価な光源手段である。
一方、シングルビーム半導体光は、現在でも短波長化が比較的容易であり、低コストにて製造することが可能であり、種々の工業分野にて汎用的に用いられている。このシングルビーム半導体光（あるいは上記のマルチビーム半導体光）を光源とし、ビーム合成手段を用いて複数の光ビームを合成する光源装置及びマルチビーム走査装置に関する提案が、従来から多数行われている（例えば、特許文献１乃至３参照）。
しかし、半導体光レイを光源手段として用いる方法と比較し、ビーム合成手段を用いて複数の光ビームを合成する方法の場合には、環境変動／経時等の影響により、被走査面におけるビームスポット配列（ビームピッチ；走査線間隔）が変動するといった問題が発生し易かった。
【０００４】
かかる問題を解決する方法に関する従来技術の代表例として、特許文献１には、２つの半導体光とカップリングレンズとをベース部材により保持して構成される第１のマルチビーム光源装置及び第２のマルチビーム光源装置をホルダ部材に保持させて、ビーム合成プリズムを支持部材により保持させて光源装置とし、被走査面における各ビームのビームピッチを検出するビームピッチ検出手段と、その検出結果により、第１のマルチビーム光源装置、第２のマルチビーム光源装置、光源装置のいずれかを回転または傾斜させてビームピッチを補正するビームピッチ補正手段を設けることが開示されている。
【０００５】
特許文献２には、走査レンズに取り付けられた温度センサの検出した環境温度に基づいて、制御部が主走査方向及び副走査方向の像面位置補正量を算出し、主走査方向ビーム径補正部の駆動部及び副走査方向ビーム径補正部の駆動部を駆動させて、シリンダーレンズ及びシリンドリカルレンズを当該像面位置補正量に対応する量だけ光ビームの光軸方向に移動させて、主走査方向ビーム径及び副走査方向ビーム径を補正するマルチビーム光走査装置が開示されている。
さらに、特許文献２では、制御部は環境温度に基づいてビームピッチの補正量を算出し、ビームピッチ補正部のアクチュエータを駆動させて、ＬＤユニットを当該算出したビームピッチの補正量に対応する量だけ光ビームの光軸方向に移動させて、ビームピッチを補正する。
【０００６】
特許文献３では、互いに平行かつ同一方向に光ビームを出射する複数個の光光源ＬＤと、光光源ＬＤを並べて保持する光源保持体とを備えた光源装置と、光源装置を光ビームと平行な軸周りに回動可能に保持する光源装置保持壁とを備えた光走査装置において、光源装置、光源装置保持壁及び回転角度調整用の調整ねじが熱膨張または熱収縮することにより発生する光源装置の回転が、光源装置、光源装置保持壁及び調整ねじの熱膨張または熱収縮により相殺されるように構成することが開示されている。
【０００７】
図４は一般的なマルチビーム光源装置を用いた画像形成方法を説明する概略斜視図である。次に一般的なマルチビーム光源装置を用いた画像形成方法を説明する。
この画像形成方法では、マルチビーム光源装置２０から出射された２本の光ビームＬ１、Ｌ２を、シリンドリカルレンズ１１を介して、高速回転するポリゴンミラー１２に入射させ、回転に伴って角度が変化するミラー面で反射させることにより偏向させて、主走査方向に繰り返し走査するようになっている。
【０００８】
ポリゴンミラー１２で偏向された光ビームＬ１、Ｌ２は、さらにｆθレンズ１３を介して、感光体ドラム１５に沿って設けられた折り返しミラー１４に入射し、このミラー１４で反射されて感光体ドラム１５上に走査される。
この時、光ビームＬ１、Ｌ２はマルチビーム光源装置２０から画像データに応じて変調されて出射され、感光体ドラム１５の回転方向（副走査方向）に予め設定されている距離Ｘだけ隔てて感光体ドラム１５上に同時にスポット照射されて静電潜像を形成するようになっており、このように画像データを２ラインずつ記録することにより記録速度の高速化が実現されている。２本の光ビームは合成された光ビームを光軸回りに回動調整自在にしたものである。
【０００９】
図５は光ビームの光軸回りの回動調整を説明する概略図である。図６は図５の各回動位置に対応する２つの光スポットの感光体ドラム上における位置を示す概略図である。
上述した光ビームの光軸回りの回動調整は、具体的には、図５に示すように１つの半導体光源から射出された第１ビーム１（図６の第１光スポットに該当する）を中心として他の半導体光源から射出される第２ビーム２（図６の第２光スポットに該当する）の位置を調整するように光ビームを光軸回りに回動調整自在にすることにより、第１ビーム１と第２ビーム２とのピッチを変更して書き込み密度を変更可能にしている。
図５の例では、第２ビーム２がＡの位置にある時には第１ビーム１と第２ビーム２のピッチＰ２が狭くなるため、書き込み密度が高くなり、第２ビーム２がＢの位置にある時には第１ビーム１と第２ビーム２のピッチＰ２がピッチＰ１に比べて広くなるため、書き込み密度が低くなる。
【００１０】
図５中のＨ．Ｐ．はホームポジションであり、本発明の説明で後述する回動位置検知用アーム４０ｃの先端部４０ｅが発光素子４９ａと受光素子４９ｂとの間を遮った瞬間の位置を示している。
ポジションＢはホームポジションより光軸（本発明の説明で後述する円筒部４０ａの略中心）を回転中心として角度θ１だけ回転した位置である。回動位置検知用アーム４０ｃをホームポジションからポジションＢまで回転させるために、ステッピングモータは予め設定された所定のパルス数Ｐｂだけ回転駆動される。
同様に、ポジションＡはホームポジションより光軸を回転中心として角度θ２だけ回転した位置である。回動位置検知用アーム４０ｃをホームポジションからポジションＡまで回転させるために、ステッピングモータは予め設定された所定のパルス数Ｐａだけ回転駆動される。
【００１１】
図６は図５の各回動位置に対応する２つの光スポットの感光体ドラム上における位置を示したものであり、回転角θ１、θ２に対応した感光体ドラム上の光スポットの副走査方向の間隔（ピッチ）がＸ１、Ｘ２となる。
上記のように、ホームポジションからのマルチビーム光源装置２０（図４）の回転量を変化させることにより、感光体ドラム上における光スポットの間隔Ｘを変えることができ、その回転量はステッピングモータのホームポジションからの駆動パルス数Ｐにより制御できる。ちなみに、記録密度が４００ｄｐｉのときのピッチＸは６３．５μｍに設定され、６００ｄｐｉの時のピッチＸは４２．３μｍに設定される
そして、このように第１ビーム１と第２ビーム２のピッチを狙った位置になるようにマルチビーム光源装置を回動させる手段としては、ステッピングモータ及びステッピングモータの出力軸とマルチビーム光源装置の間に介装され、ステッピングモータの回転駆動を直線運動に変換してマルチビーム光源装置を回動させるように出力軸に螺合するネジ部が形成された摺動部材がある。
【特許文献１】特開２００３−２９１８０公報
【特許文献２】特開２００２−５５２９４公報
【特許文献３】特開２０００−３３００４６公報
【発明の開示】
【発明が解決しようとする課題】
【００１２】
しかしながら、従来のようなマルチビーム光源装置ではステッピングモータ使用時の発熱により摺動部材が熱膨張し、ピッチが変動してしまうという課題があった。とくに近年ではコストダウンを目的として、摺動部材の材質をＰＯＭ（ポリアセタール樹脂）のような線膨張係数の大きい樹脂で作ることがあり、いっそうピッチが変動してしまうという問題もある。
【００１３】
そこで、本発明の目的は、複数個の光源を使用して同時に複数の光ビームを感光体表面に照射し画像を書き込みかつステッピングモータの発熱によるその回転角度の変動を抑えて副走査ビームピッチの変動を小さく抑えることができるマルチビーム光源装置およびこれを備える光走査装置を提供することにある。
【課題を解決するための手段】
【００１４】
上記の課題を解決するために、請求項１に記載の発明は、光ビームを出射する複数の光源を光軸回りに回動可能にかつ一体的に保持する光源装置保持部材と、前記複数の光ビームを光軸回りに回動することによって、像面上での副走査方向の間隔を調整可能とする回動調整手段とを有し、前記回動調整手段は、ステッピングモータと、このステッピングモータの出力軸に取り付けられ、かつ前記ステッピングモータの回転駆動を直線運動に変換して前記複数の光源を回動させる摺動部材と、この摺動部材を介して前記ステッピングモータの出力軸に当接させかつ一方向側に常時付勢する付勢部材とから構成されるマルチビーム光源装置において、前記ステッピングモータの前記出力軸と前記摺動部材との間に断熱部材を設けるマルチビーム光源装置を特徴とする。
また、請求項２に記載の発明は、前記ステッピングモータと前記光源装置保持部材との間に断熱部材を設ける請求項１記載のマルチビーム光源装置を特徴とする。
【００１５】
また、請求項３に記載の発明は、前記摺動部材と前記光源装置保持部材との間に断熱部材を設けた請求項１又は２に記載のマルチビーム光源装置を特徴とする。
また、請求項４に記載の発明は、前記光源装置保持部材が断熱部材で形成されている請求項１、２又は３に記載のマルチビーム光源装置を特徴とする。
また、請求項５に記載の発明は、前記断熱部材が、前記ステッピングモータの前記出力軸に略一体で取り付けられている請求項１乃至４の何れか一項に記載のマルチビーム光源装置を特徴とする。
また、請求項６に記載の発明は、前記断熱部材が、前記摺動部材と略一体で取り付けられている請求項１乃至５の何れか一項に記載のマルチビーム光源装置を特徴とする。
【００１６】
また、請求項７に記載の発明は、前記摺動部材が樹脂である請求項１乃至６の何れか一項に記載のマルチビーム光源装置を特徴とする。
また、請求項８に記載の発明は、前記ステッピングモータが、一方向と他方向の間で複数の回動位置に切り換えるとともに、前記回動位置を切り換える度に通電が遮断される請求項１乃至７の何れか一項に記載のマルチビーム光源装置を特徴とする。
また、請求項９に記載の発明は、請求項１乃至８の何れか一項に記載のマルチビーム光源装置と、複数の偏向面を有し回転する光偏向器と、fθ系光学素子とこれら各構成要素を収容する光学ハウジングとを備えた光走査装置において、前記光源装置保持部材が前記光学ハウジングと一体で形成されている光走査装置を特徴とする。
【発明の効果】
【００１７】
本発明によれば、ステッピングモータから発せられた熱が摺動部材に伝わりにくくなり、マルチビーム光源装置の回転角度の変動を抑えて副走査ビームピッチの変動を小さくすることができる。
【発明を実施するための最良の形態】
【００１８】
以下、図面を参照して、本発明の実施の形態を詳細に説明する。図１は本発明を実施するマルチビーム光源装置を示す概略図である。図示するように、マルチビーム光源装置２０は、光源である２個の半導体光源２１、２２と、両半導体光２１、２２から出射された２本の光ビームＬ１、Ｌ２を各々略平行光束にするコリメートレンズ２９、３０と、これら光ビームＬ１、Ｌ２を所定のビーム径に絞る絞り板２３と、この絞り板２３を通過してきた光ビームＬ１、Ｌ２を互いに重ね合わせて出射するビーム合成手段としてのビーム合成プリズム２４とを有している。
【００１９】
また、マルチビーム光源装置２０は、半導体光源２１、２２、コリメートレンズ２９、３０、絞り板２３、ビーム合成プリズム２４などからなる光学系自体をビーム合成プリズム２４からの出射光の略光軸周りに回動させることにより、感光体ドラム上の光スポットの間隔Ｘを変化させるピッチ可変機構３９を有している。
このマルチビーム光源装置２０から出射された２本の光ビームＬ１、Ｌ２は、図４で説明した書き込み装置と同様、シリンドリカルレンズを介して、高速回転するポリゴンミラー（図示せず）に入射し、回転に伴って角度が変化するミラー面で反射されることにより偏向されて主走査方向に繰り返し走査される。
【００２０】
半導体光源２１、２２は、光駆動回路が形成された基板２７に一体的に固定されている。また、半導体光源２１、２２は、各々ホルダ部材２５、２６に固定されており、各ホルダ部材２５、２６をコリメートレンズホルダ２８の裏面にネジ３１、３２などで固定する。
これにより、互いのｐｎ接合面を一致させてかつコリメートレンズ２９、３０と光軸を一致させて設けることができる。コリメートレンズ２９、３０は、各々鏡筒に収められてコリメートレンズホルダ２８の嵌合孔２８ａ、２８ｂに嵌め込まれ、接着によりコリメートレンズホルダ２８に固定される。
【００２１】
絞り板２３及びビーム合成プリズム２４は、ピッチ可変機構３９の回動部材４０の裏面側の所定位置に設けられ、コリメートレンズホルダ２８をネジ３４、３５などにより回動部材４０の裏面側に固定することにより、この回動部材４０に固定される。
そして、回動部材４０の裏面側に光駆動回路が形成された基板２７をネジ等で固定することにより、半導体光源２１、２２からビーム合成プリズム２４までの各部材が、回動部材４０と基板２７との間に収容された形で一体化して保持される。以下、「マルチビーム光源装置２０」は、このように一体化された状態のものを指すこととする。
【００２２】
ここでビーム合成プリズム２４の機能について説明する。ビーム合成プリズム２４の一方の入射面には、１／２波長板３３が貼り付けられている。半導体光源２１、２２からの２本の光ビームＬ１、Ｌ２のうちの一方（この例では、半導体光源２１からの光ビームＬ１）は、１／２波長板３３を透過することにより、その偏光面が９０°回転されてビーム合成プリズム２４に入射する。
この光ビームＬ１は、ビーム合成プリズム２４の偏光ビームスプリッタ面２４ｂを通過する。もう一方の半導体光源２２からの光ビームＬ２は、ビーム合成プリズム２４の傾斜端面２４ａで内面反射し、さらに偏光ビームスプリッタ面２４ｂで反射して、光ビームＬ１と略合成される。
ただし、ビーム合成プリズム２４からの２本の光ビームＬ１、Ｌ２の出射方向は、主走査方向に微小角度θだけ互いに偏向するように設定されている。ビーム合成プリズム２４からの出射光は、回動部材４０の前面部より突出した円筒部４０ａ内を通してマルチビーム光源装置２０の外へ出射される。
【００２３】
回動部材４０の円筒部４０ａは、画像形成装置の固定構造体（光学ハウジング）に固定された光学ハウジング３６の側板に形成された孔３６ａに遊びを持たせて挿入されている。ここで、光学ハウジングの材質はガラス繊維を含有する極めて熱伝導率の低い断熱材を使用している。
円筒部４０ａの外側に先端側から孔３６ａよりも大径のコイルスプリング３７を装着した後、ばね押圧板３８を係合させることにより、コイルスプリング３７の弾性力に抗して光学ハウジング３６の側板側に引っ張られた状態で、円筒部４０ａを中心にして回動可能に支持される。
【００２４】
より詳細には、円筒部４０ａの突端部には、ばね押圧板３８と係合するフランジ部４０ｄが設けられている。ばね押圧板３８には、フランジ部４０ｄを受け入れる孔３８ａと１対の係止ピン３８ｂとが設けられている。
そして、光学ハウジング３６に形成された孔３６ａに挿入した円筒部４０ａにコイルスプリング３７及びばね押圧板３８を装着し、その状態でばね押圧板３８を略９０°回転させることにより、ばね押圧板３８の係止ピン３８ｂ及び貫通孔３８ａの周縁部によりフランジ部４０ｄが係止される。
その結果、マルチビーム光源装置２０はコイルスプリング３７の弾性力に抗して矢印αの向きに引っ張られた状態で、光出射部である円筒部４０ａを軸にして回動自在に光学ハウジング３６に取り付けられる。回動部材４０の両側には回動アーム４０ｂと回動位置検知用アーム４０ｃとが略左右対称の位置関係にて突設されている。
【００２５】
光学ハウジング３６の回動アーム４０ｂ側には回動部材４０を回動させる回動機構４８が設けられ、回動位置検知用アーム４０ｃ側には回動部材４０のホームポジションを検知するためのホームポジションセンサ４１（フォトインタラプタ）が設けられている。回動機構４８及びホームポジションセンサ４１はピッチ可変機構３９の主要部をなすものである。
回動機構４８は、回動アーム４０ｂを常時下方（矢印βの向き）に付勢しているスプリング４２と、回動アーム４０ｂの先端下部を支持して、これを上下に動かす上下動機構４３とからなっている。
【００２６】
上下動機構４３は、光学ハウジング３６の底板にこれを垂直に貫通させて固設された内周形状が略Ｄ字形状の筒状部材４４と、この筒状部材４４内に上下方向に摺動自在に収容される外周形状が略Ｄ字形でかつ摺動方向に延びる雌ネジ４５ａを有する摺動部材４５と、この摺動部材４５の雌ネジ４５ａ内に装着される部材である送りネジ４６と、この送りネジ４６を定位置にて正逆回転させて、摺動部材４５を上下に移動させるステッピングモータ４７とを備えて構成される。
ステッピングモータ４７は、モータ軸４７ａを筒状部材４４内に挿入して光学ハウジング３６の底板の下面側に固定されており、そのモータ軸４７ａの先端（上端）に送りネジ４６の下端が圧入固定されている。送りネジ４６は光学ハウジング３６と同材質である断熱材を使用している。
すなわち、上下動機構４３は、ステッピングモータ４７を駆動させて、モータ軸４７ａとともに送りネジ４６を回転させることにより、筒状部材４４との嵌合により回転が規制された摺動部材４５を上下方向に移動させる仕組みになっている。
【００２７】
摺動部材４５を上方へ移動させることにより、摺動部材４５で回動アーム４０ｂを押し上げて上方（矢印γの向き）に回動させ、摺動部材４５を下方へ移動させることにより、スプリング４２の力で回動アーム４０ｂを下方（矢印βの向き）に回動させる。これによりマルチビーム光源装置２０は、光出射部である円筒部４０ａを軸にして回動する。
回動位置検知用アーム４０ｃの先端部４０ｅはＬ字状に屈曲しており、ホームポジションセンサ４１は、光学ハウジング３６の側板に固定されるセンサ支持体４１ａのコ字状部に、回動位置検知用アーム４０ｃの先端部４０ｅを検知するための発光素子４９ａと受光素子４９ｂとからなる遮蔽型光センサ４９を設けてなる。
回動位置検知用アーム４０ｃの先端部４０ｅを遮断部材にして発光素子４９ａと受光素子４９ｂとの間が遮られた瞬間の位置がホームポジション（Ｈ．Ｐ．）であり、これがピッチ可変機構３９によりマルチビーム光源装置２０の回転角度調整を行う際の基準位置となる。
【００２８】
要するに本発明のマルチビーム光源装置は、光ビームを出射する複数の光源２１、２２を光軸回りに回動可能にかつ一体的に保持する光源装置保持部材３６と、複数の光ビームを光軸回りに回動することによって、像面上での副走査方向の間隔を調整可能とする回動調整手段４０と、を有し、回動調整手段は、ステッピングモータ４７と、このステッピングモータの出力軸４７ａに取り付けられ、かつステッピングモータの回転駆動を直線運動に変換して複数の光源を回動させる摺動部材４５と、この摺動部材を介してステッピングモータの出力軸に回動調整手段４０を当接させかつ一方向側に常時付勢する付勢部材３７と、を備え、ステッピングモータの出力軸と摺動部材との間に断熱部材５０を設けた構成が特徴的である。
【００２９】
図２は図１の上下動機構の部品を示す断面図である。図２において、摺動部材４５の雌ネジとして断熱材４５ａを用いており、ステッピングモータ４７の回転による送りネジ４６と摺動部材４５の雌ネジ４５ａとの間の摩擦による熱の影響を受けないように設計している。
光源装置保持部材（光学ハウジング）３６は断熱材で形成されており、ステッピングモータ４７からの熱を摺動部材４４（図１）に伝えないようにしてある。ステッピングモータ４７のモータ軸４７ａに圧入する送りネジ４６を断熱材とすることで摺動部材４５に熱を伝えないようにしている。
【００３０】
ステッピングモータ４７は、光源装置の回動位置を切り換える度に通電が遮断されるため、通電による発熱を抑え、摺動部材４５への熱の伝わりを低減することができる。
光源装置保持部材３６が断熱材で形成されているため、部品点数を増やすことなく、ステッピングモータ４７から発せられた熱が、光源装置保持部材３６を介して摺動部材４５に伝わりにくくなり、マルチビーム光源装置２０の回転角度の変動を抑えて副走査ビームピッチの変動を小さくすることができる。
【００３１】
図３は図１の上下動機構の部品に断熱材を使用した別の実施の形態を示す断面図である。ステッピングモータ４７のモータ軸４７ａに断熱部材５０が圧入されており、さらにその外側に送りネジ４６が圧入されている。
摺動部材４５の外側には断熱材５２が熱カシメしてある。ステッピングモータ４７は断熱部材５２を間に挟み、光源装置保持部材（光学ハウジング）３６にネジ(図示せず)によって締結されている。
断熱部材として用いられる材質はガラス繊維を含んだ樹脂やウレタン樹脂が一般的であるが、摺動性に優れているとはいい難い。そこで断熱部材をモータ軸４７ａと送りネジ４６の間に入れ、送りネジ４６及び摺動部材４５の雌ネジ４５ａとして摺動性に優れる材質（例えば、黄銅やＰＯＭなど）を使用することで耐磨耗性を向上させている。
【００３２】
本発明によれば、ステッピングモータ４７から発せられた熱が、光源装置保持部材３６に伝わっても、光源装置保持部材３６から摺動部材４５に伝わりにくくなり、マルチビーム光源装置の回転角度の変動を抑えて副走査ビームピッチの変動を小さくすることができる。
また、本発明によれば、断熱部材５０がステッピングモータ４７に略一体で取り付けられており、とくにネジ部を形成することで部品点数を増やすことなく、副走査ビームピッチの変動を小さくすることができる。
【００３３】
さらに、本発明によれば、断熱部材５０が摺動部材４５に略一体で取り付けられており、とくに雌ねじを形成することで摩擦による熱が摺動部材４５に伝わるのを防ぐことができ、摺動部材４５を樹脂成型にすることで部品のコストダウンを図ることができる。
本発明によるマルチビーム光源装置を用いる光走査装置では、光源装置保持部材３６が光学ハウジングと一体で形成されているため、部品点数を増やすことなく前述したマルチビーム光源装置効果を有する光走査装置を提供できる。
【図面の簡単な説明】
【００３４】
【図１】本発明を実施するマルチビーム光源装置を示す概略図である。
【図２】図１の上下動機構の部品を示す断面図である。
【図３】図１の上下動機構の部品に断熱材を使用した別の実施の形態を示す断面図である。
【図４】一般的なマルチビーム光源装置を用いた画像形成方法を説明する概略斜視図である。
【図５】光ビームの光軸回りの回動調整を説明する概略図である。
【図６】図５の各回動位置に対応する２つの光スポットの感光体ドラム上における位置を示す概略図である。
【符号の説明】
【００３５】
Ｌ１  光ビーム、Ｌ２  光ビーム、２０  マルチビーム光源装置、２１  半導体光源、２２  半導体光源、３６  光源装置保持部材（光学ハウジング）、３７  付勢部材（コイルスプリング）、３８  ばね押圧板、４０  回動部材（回動調整手段）、４０ａ  円筒部
４０ｂ  回動アーム、４０ｃ  回動位置検知用アーム、４０ｄ  フランジ部、４１  ホームポジションセンサ、４３  上下動機構、４５  摺動部材、４５ａ  断熱部材、４６  送りネジ、４７  ステッピングモータ、４７ａ  出力軸、４８  回動機構、４９  遮蔽型光センサ、４９ａ  発光素子、４９ｂ  受光素子、５０  断熱部材、５２  断熱部材
【図１】
2007241118.tif 000003
【図２】
2007241118.tif 000004
【図３】
2007241118.tif 000005
【図４】
2007241118.tif 000006
【図５】
2007241118.tif 000007
【図６】
2007241118.tif 000008